(57)【要約】      （修正有）【課題】幼児や子供が紙ばさみで紙束をクリップする際、紙ばさみによる不十分な挟持、喰へ込み量の不足等を無くし、紙ばさみによる紙束の銜え量を目視可能として紙束の挟持を確実化し、目視により確実にクリップできる紙ばさみを提供する。【解決手段】開閉可能である上下の挟持片１０，２０と、挟持片１０，２０間に介設され、挟持片を閉じ方向に付勢するばね２６からなる紙ばさみであって、上下の挟持片１０，２０間に中間片３０を配置し、中間片３０は、前端部に下側挟持片１０方向に突出し、挟み込む紙束の端縁と当接する脚片３４，３４を有し、下側挟持片１０には脚片３４と係合し、中間片の後方への移動をガイドするガイド部１６を有する。【選択図】図１
0003205925.tif 000002
【実用新案登録請求の範囲】
【請求項１】
支軸を支点として揺動し、開閉可能である上下の挟持片と、前記上下の挟持片間に介設され、挟持片を閉じ方向に付勢するばねとからなる紙ばさみであって、
前記上下の挟持片間に中間片を配置し、
前記中間片は、前端部に下側挟持片方向に突出し、挟み込む紙束の端縁と当接する脚片を有し、
前記下側挟持片には前記脚片と係合し、中間片の後方への移動をガイドするガイド部を有する、
ことを特徴とする紙ばさみ。
【請求項２】
前記中間片の後端部の表面には、文字、図形若しくは記号の少なくとも一部からなる表示を設けたことを特徴とする請求項１記載の紙ばさみ。
【請求項３】
前記上側挟持片の後端部の表面には、前記表示の少なくとも残部を設けたことを特徴とする請求項２記載の紙ばさみ。
【請求項４】
前記中間片の後端部の表面の表示の一部及び上側挟持片の後端部の表面の表示の残部により完成した表示が、示されるようにしたことを特徴とする請求項１〜３の何れか１項に記載の紙ばさみ。
【請求項５】
前記下側挟持片に設けたガイド部は前後方向に延びる直線状の左右の長孔であり、
前記中間片の脚片は、該中間片の前端部の左右に下方に突設し、前記左右の長孔に嵌合する脚片であることを特徴とする請求項１〜４の何れか１項に記載の紙ばさみ。
【請求項６】
前記下側挟持片にはガイドストッパーを上方に突設し、前記中間片には該ガイドストッパーに嵌合する前後方向に長さを有するガイド孔を設け、ガイドストッパーのガイド孔の後退限で、前記中間片の表面に設けた表示の一部及び上側挟持片の後端部の表面に設けた表示の残部とで完成した表示を示すようにしたことを特徴とする請求項１〜５の何れか１項に記載の紙ばさみ。
【考案の詳細な説明】
【技術分野】
【０００１】
本考案は、紙束をクリップする紙ばさみに関するものである。
【背景技術】
【０００２】
ばねで閉じ方向に付勢された上下二枚の挟持片間に紙束の端部を臨ませ、挟持片間に紙束の端部を弾性的に挟持して紙をクリップする紙ばさみは知られている（特許文献１参照）。
【先行技術文献】
【特許文献】
【０００３】
【特許文献１】実開平５−４９３７５号公報
【０００４】
特許文献１に係る紙ばさみは、上下二枚の挟持片の上側の挟持片の表面に可動部材を設け、挟持片を摘んで開閉するとき、上側の挟持片の可動部材が動く、という玩具的要素を備えた紙ばさみである。
【考案の概要】
【考案が解決しようとする課題】
【０００５】
以上の特許文献１に係る考案では、紙ばさみで紙束をクリップする際、挟持片を開閉することで、上側の挟持片の表面に設けた可動部材が開閉操作、従ってクリップ操作時に揺動運動等して動くので、幼児や子供が楽しく紙束をクリップ操作することができ、興趣に富むという利点がある。
ところで、幼児や子供が紙ばさみで紙束を挟持してクリップする際、挟持片による紙束への銜え量が不十分で浅い場合がある。
この結果、紙束の挟持が不完全となる。通常は紙束は紙葉が多数枚積層されていることから、紙束が紙ばさみから外れた場合、多数枚の紙葉が散逸し、周辺に散らかったりしてしまうこととなる。
【０００６】
本考案は、幼児や子供が紙ばさみで紙束をクリップする際、紙ばさみによる不十分な挟持、銜え量の不足等を無くし、紙ばさみによる紙束の銜え量を容易に目視可能として紙束の挟持を確実化し、目視による確実なクリップを、楽しく、興趣をもって実行可能とした紙ばさみを提供することを課題とする。
【課題を解決するための手段】
【０００７】
上記課題を解決するために、請求項１に係る考案は、支軸を支点として揺動し、開閉可能である上下の挟持片と、上下の挟持片間に介設され、挟持片を閉じ方向に付勢するばねとからなる紙ばさみであって、上下の挟持片間に中間片を配置し、中間片は、前端部に下側挟持片方向に突出し、挟み込む紙束の端縁と当接する脚片を有し、下側挟持片には脚片と係合し、中間片の後方への移動をガイドするガイド部を有することを特徴とする。
【０００８】
請求項２に係る考案は、請求項１記載の紙ばさみにおいて、中間片の後端部の表面には、文字、図形若しくは記号の少なくとも一部からなる表示を設けたことを特徴とする。
【０００９】
請求項３に係る考案は、請求項２記載の紙ばさみにおいて、上側挟持片の後端部の表面には、表示の少なくとも残部を設けたことを特徴とする。
【００１０】
請求項４に係る考案は、請求項１〜３の何れか１項に記載の紙ばさみにおいて、中間片の後端部の表面の表示の一部及び上側挟持片の後端部の表面の表示の残部により完成した表示が示されるようにしたことを特徴とする。
【００１１】
請求項５に係る考案は、請求項１〜４の何れか１項に記載の紙ばさみにおいて、下側挟持片に設けたガイド部は前後方向に延びる直線状の左右の長孔であり、中間片の脚片は、該中間片の前端部の左右に下方に突設し、左右の長孔に嵌合する脚片であることを特徴とする。
【００１２】
請求項６に係る考案は、請求項１〜５の何れか１項に記載の紙ばさみにおいて、下側挟持片にはガイドストッパーを上方に突設し、中間片には該ガイドストッパーに嵌合する前後方向に長さを有するガイド孔を設け、ガイドストッパーのガイド孔の後退限で、中間片の表面に設けた表示の一部及び上側挟持片の後端部の表面に設けた表示の残部とで完成した表示を示すようにしたことを特徴とする。
【考案の効果】
【００１３】
請求項１に係る考案では、支軸を支点として開閉可能であり、閉じ方向に付勢された上下の挟持片を有し、上下の挟持片間に中間片を配置し、中間片は前端部に下側挟持片方向に突出し、挟み込む紙束の端縁と当接する脚片を有し、下側挟持片には脚片と係合し、中間片の後方への移動をガイドするガイド部を有するので、紙束をクリップする際、中間片の脚片が紙束の端縁が接触し、紙束の喰へ込み量によって中間片が挟持片間において移動し、挟持片の後端部から中間片の後端部が突出することで、クリップ時に紙束の喰へ込み量を視認するこができ、紙ばさみによる紙束のクリップが確実かどうかを判断することができる。
【００１４】
請求項２に係る考案では、中間片の後端部の表面には、文字、図形若しくは記号からなる表示の少なくとも一部を設けたので、挟持片の後端部から突出する文字、図形若しくは記号によりクリップが確実かどうかが容易、確実に判断することができ、幼児や子供にとっては紙ばさみによる紙束の不完全なクリップを防止することができ、また、挟持片の後端部から突出する表示により、確実なクリップを興趣をもって行うことができる。
【００１５】
請求項３に係る考案では、上側挟持片の後端部の表面には、表示の少なくとも残部を設けたので、請求項２と同様に幼児や子供にとっては紙ばさみによる紙束の不完全なクリップを防止することができ、また、中間片、挟持片の後端部から突出する文字、図形若しくは記号により、確実なクリップを興趣をもって行うことができる。
【００１６】
請求項４に係る考案では、中間片の後端部の表面の表示の一部及び上側挟持片の後端部の表面の表示の残部により完成した表示が示されるようにしたので、完成され表示により、興趣を向上させながら幼児や子供にとっては紙ばさみによる紙束の不完全なクリップを確実に防止することができる。
【００１７】
請求項５に係る考案では、下側挟持片に設けたガイド部は前後方向に延びる直線状の左右の長孔であり、中間片の脚片は、中間片の前端部の左右に下方に突設し、左右の長孔に嵌合する脚片なので、紙束をクリップする際、中間片前端部の後方への移動（紙束の喰へ込み作動のガイド作用）が正確、確実になされるとともに、中間片の後方への移動が円滑になされる。
【００１８】
請求項６に係る考案では、下側挟持片にはガイドストッパーを上方に突設し、中間片には該ガイドストッパーに嵌合する前後方向に長さを有するガイド孔を設け、ガイドストッパーのガイド孔の後退限で、中間片の表面に設けた表示の一部及び上側挟持片の後端部の表面に設けた表示の残部とで完成した表示を示すようにしたので、紙束のクリップに際し、紙束の銜えこみ量の適正が一目瞭然に判明し、好ましいクリップ状態で中間片の後方への突出で上側挟持片との間の表示が完成し、完成した表示によりクリップが適正で好ましい旨が判明する。幼児や子供にとっては楽しく、興味をもって紙ばさみによる紙束等のクリップが行え、興趣にも富む。
【図面の簡単な説明】
【００１９】
【図１】本考案に係る紙ばさみの分解斜視図である。
【図２】紙ばさみの側面図で、中間片が前進限に位置する状態を示す図である。
【図３】図２の矢視３方向の図で、平面図である。
【図４】紙ばさみの側面図で、中間片が後退限に位置する状態を示す図である。
【図５】図４の矢視５方向の図で、平面図である。
【図６】紙ばさみを開いて紙束をクリップする直前の状態を示す側面図である。
【図７】紙ばさみによる紙束のクリップの説明図で、（ａ）はクリップが確実になされている状態を示す側面図、（ｂ）は同平面図、（ｃ）はクリップが不完全な状態を示す側面図、（ｄ）は同平面図である。
【図８】他の実施例を示し、上側挟持片と中間片とを分離した状態の平面図である。
【図９】図８の実施例における中間片、上側挟持片による図形の表示によるクリップ作用の完全（ａ）、不完全（ｂ）の状態を示す説明図である。
【考案を実施するための形態】
【００２０】
本考案の実施の形態を添付図に基づいて以下に説明する。なお、図面は符号の向きに見るものとする。
図１は、本考案に係る紙ばさみの分解斜視図であり、紙ばさみ１は下側挟持片１０、上側挟持片２０及び中間片３０から構成されている。
【００２１】
下側挟持片１０は矩形の板状本体１１を有する。板状本体１１の左右両側端縁部の前後方向中央部には、左右の支軸ブラケット片１２，１２が起設されており、該支軸ブラケット片１２，１２には、同軸的に支軸孔１３，１３が設けられている。
板状本体１１の先端部に近い部分には、幅方向に横断する凸条部１４及びこれの直後に上端部が尖った凸部１５が設けられている。
【００２２】
板状本体１１の前部には、ガイド部を構成するガイド孔１６，１６が板厚方向に貫通して設けられている。ガイド孔１６，１６は、幅方向に所定間隔を開けて長孔状に設けられ、左右に離間して前後方向に設けられている。
また、板状本体１１の上面で幅方向中央部には、山形のベース１７ａ上に上方に突出するようにガイドストッパー１７が突設されている。ガイドストッパー１７は、左右の支軸ブラケット片１２，１２間であって、左右のガイド孔１６，１６の直後に位置する。
以上の下側挟持片１０は、各部全一体に樹脂で形成されている。
【００２３】
上側挟持片２０は矩形の板状本体２１を備える。板状本体２１は下側挟持片１０の板状本体１１と対峙している。板状本体２１の左右両側端縁部の少しく内側で、前後方向中央部には、左右の支軸ブラケット片２２，２２が垂下突設されており、ブラケット片２２，２２には同軸的に支軸孔２３，２３が設けられている。
板状本体２１の前端部の下面には、前記下側挟持片１０の前記した凸条部１４に対向する凹条溝２４が設けられている。
以上の上側挟持片２０も下側挟持片１０と同様に各部全一体に樹脂で形成されている。
【００２４】
中間片３０も矩形の板状本体３１を備え、板状本体３１は上側挟持片２０のブラケット片２２，２２間の幅の幅狭前半部３２と、これより幅が若干大きい幅広後半部３３とを備える。
幅狭前半部３２の前端部、従って中間片３０の前端部３０ｂには、左右に離間して脚片３４，３４が垂下突設されており、二本の脚片３４，３４は前記ガイド孔１６，１６に嵌合し、図２に示すように下側挟持片１０の板状本体１１の下方に突出する。
【００２５】
中間片３０の板状本体３１の幅狭前半部３２の幅方向中央部には、前後方向に直線状のガイド孔３５が設けられており、ガイド孔３５には前記ガイドストッパー１７が嵌合する。
以上の中間片３０の板状本体３１の幅広後半部３３、実施例では、幅狭前半部３２との境界部に近い部分の表面には、文字、図形若しくは記号の少なくとも一部からなる半部表示Ａを設ける。
一方、上側挟持片１０の板状本体２１の表面の後端部を含む後端寄り部には、文字、図形若しくは記号の少なくとも一部からなる表示の残部を構成する他の半部表示Ｂを設ける。
図示した実施例では、理解し易いように中黒の二重丸の表示半部Ａを一方（中間片表面）に、他の表示半部Ｂを他方（上側挟持片表面）に表した。
【００２６】
以上の中間片３０を下側挟持片１０の板状本体１１の上に載せ、前端部の脚片３４，３４を前記したガイド孔１６，１６に嵌合し、下側挟持片１０の板状本体１１の前記ガイドストッパ１７を、上の中間片３０の前記したガイド孔３５に嵌合する。
その上から上側挟持片２０を被せ、上側挟持片２０の左右のブラケット片２２，２２を下側挟持片１０の左右のブラケット片１２，１２の内側に重ね、上下の挟持片１０，２０間に左右のばね、例えばトーションばね２６，２６を介在させてピン２５，２５を支軸孔１３，１３，２３，２３に通し、上下の挟持片１０，２０を開閉自在（揺動自在）に軸支する。
紙ばさみ１は、トーションばね２６，２６の作用により、上下の挟持片２０，１０が閉じ方向に付勢されている。
【００２７】
図２は紙ばさみの側面図で、中間片が前進限に位置する状態を示す図であり、図３は図２の矢視３方向の図で、平面図である。
紙ばさみ１は、図２、図３に示すように紙束をクリップしない（挟持しない）状態では、中間片３０が前進限位置に位置し、前進限位置は脚片３４，３４がガイド孔１６，１６の前端内側縁に当接している。
この状態で、図２に示すように脚片３４は、下側挟持片１０の板状本体１１の下方に最大長さ突出している。また、図２、図３では明示していないが、下側挟持片１０に突設したストッパ１７ーは中間片３０のガイド孔３５内の後端部に位置している。
【００２８】
この状態では、図２、図３に示したように、上側挟持片２０の後端縁部２０ａから中間片３０の後端縁部３０ａのみが少し突出（露出）しており、中間片３０は、外から後端縁部３０ａのみが視認できる。中間片３０の表面に表示された半部表示Ａは、上側挟持片２０の板状本体２１より隠されている。
従って、上側挟持片２０の後部から後端部の表面に設けられた他の半部表示Ｂのみが表れている。
従って、図３の平面図で示したように上側挟持片２０表面の半部表示Ｂのみが視認できることとなり、表示は半分のみであって未完成である。
【００２９】
図４は、紙ばさみの側面図で、中間片３０が後退限に位置する状態を示す図であり、図５は図４の矢視５方向の図で、平面図である。
中間片３０は、脚片３４，３４がガイド孔１６，１６にガイドされて前後に直線状に移動し、脚片３４，３４の後端部はガイド孔１６，１６の後端内側縁に当接して後端限位置が規制される。
また、図４では表されていないが、中間片３０の幅狭前半部３２に設けた前記ガイド孔３５の前端内側縁に、下側挟持片１０上に突設したガイドストッパ１７が当接して後端限位置が規制される。
【００３０】
中間片３０の後退限で、中間片３０の幅広後半部３３は上側挟持片２０の後端部２０ａの後方に大きく突出し、中間片３０の幅広後半部３３の表面に設けられている半部表示Ａは、上側挟持片２０の後端部２０ａの後方に突出することとなる。
中間片３０の後方への突出限が後退限であり、後退限で、上側挟持片２０の表示の半部Ｂと中間片３０の幅広後半部３３の半部表示Ａとが連続して平面視的に合流した表示となり、実施例では図５に示したように中黒の二重丸が完成し、意味をなす全部の完成表示Ｃが現出する。
【００３１】
次に本考案に係る紙ばさみ１による紙束のクリップ作用を説明する。
図６は、紙ばさみ１を開いて紙束４０をクリップする直前の状態を示す側面図であり、クリップ以前の状態では、中間片３０は上下の挟持片１０，２０間にあって前進限にあるものと想定する。
ばね２６，２６で閉じ方向に付勢されていて、閉じられている紙ばさみ１を、上下の挟持片１０，２０を開く方向に摘み、上下の挟持片１０，２０は、支軸２５を支点として揺動し、先端部１０ｂ，２０ｂは大きく開く。この状態を図６で示した。
【００３２】
図６のように先端部が１０ｂ，２０ｂが開いた状態で、紙束４０をこの間に差し込む。
図７（ａ）〜（ｄ）は紙ばさみによる紙束のクリップの説明図である。
紙ばさみ１の上下の挟持片１０，２０間には、前記したように中間片３０が前後動自在に設けられており、紙束４０の端縁部４０ａが、中間片３０の前端部３０ｂに接触し、脚片３４，３４の前端部に当接することと併せ、紙束４０を押し込むことで中間片３０は後退する。
【００３３】
中間片３０の後退動は、脚片３４，３４のガイド孔１６，１６に案内される摺動で許容される。脚片３４，３４は、下側挟持片１０のガイド孔１６，１６の内後端部に当接することで脚片３４，３４の後退動は停止する。
尚、下側挟持片１０のストッパ１７もこの位置で、中間片３０側に設けられているガイド孔３５の内後端部に当接して退動は停止する。
【００３４】
上下の挟持片１０，２０の先端部１０ｂ、２０ｂから中間片３０の脚片３４，３４の後退限までの長さをＬとする。
後退移動限で、中間片３０の半部表示Ａは上側挟持片１０の後方に後退限まで長さＬ１だけ突出する。
これにより、上側挟持片１０の前記した半部表示Ｂと中間片３０の半部表示Ａとを合わせることで、図７（ｂ）に示したように中黒の二重丸が完成し、意味をなす全部の完成表示Ｃが現出することとなる。
この完成表示Ｃが現出することで、紙束４０は挟持片１０，２０間にあって、長さＬだけ銜えていることが明確となり、十分の銜え量が確保されることとなる。
【００３５】
以上により、上側挟持片と中間片の半部表示が一つの意味ある表示となることで完成表示となり、これを目視することで、紙束４０が挟持片１０，２０間から容易に抜け出したりすることを防止し、確実にクリップされていることが判明する。
幼児や子供にあっては、クリップ操作時に、各半部表示Ａ，Ｂを完成表示Ｃとなるように紙束４０を押し込み、銜えさせるように操作することで、遊び的に、興味をもって、紙束の確実なクリップ操作を実行することができる。
【００３６】
ところで、図７の（ｃ）に示すように、紙ばさみ１による紙束４０の銜えこみ量（銜え込み長さ）が短い場合、例えば挟持片１０，２０間に紙束４０の端部の侵入量がＬ２のように短い場合には、中間片３０の脚片３４の押し込み量（銜え量）が不足する。
この状態では、紙束の銜え量が小さく、少しの力や紙束の重さで紙束４０は挟持片１０，２０のクリップ状態から容易に外れ、バラバラに散逸する虞がある。
【００３７】
この状態では、中間片３０の後退方向への移動長さが短いので、図７の（ｄ）に示したように中間片３０の表示の半部表示Ａは、上側挟持片２０の下に隠れて表れない。従って、表示の半部Ａ、Ｂは図７の（ｄ）のように完成しない。
上述したように、紙束４０が脚片３４，３４に当接して後退限まで押し込むことで、はじめて図７の（ｂ）のように表示の半部表示Ａ，Ｂが合体して完成表示Ｃとなる。従って、紙ばさみ１による紙束のクリップが浅いことが容易に判別することができる。
図７の（ｄ）よりも中間片３０が後退している位置でも、中間片３０が後退限位置に達していない場合は表示が完成せず、完成表示Ｃが表れることで、はじめて紙ばさみ１の紙束４０の銜え込みが確実であることが分明し、幼児や子供には、面白く、興味をもって紙ばさみ１によるクリップ操作を実行することができる。
【００３８】
図８は紙ばさみ１０１の他の実施例を示したものであり、図は紙ばさみ１０１の上側片１２０と中間片１３０とを分離した状態の平面図であり、図９は、図８の実施例における中間片１３０、上側挟持片１２０によるクリップの完成した表示、未完成の表示を理解し得るように判別可能とした説明図である。
図では、説明の便宜上中間片１３０と上側挟持片１２０のみを示したが、詳細構造は前記した実施例と同様である。
【００３９】
１２０は上側挟持片であって、前記した側挟持片２０と同構造である。
表面１２０ａの後端部１２０ｂに近い部分に、本実施例では横長の窓ａを設けて口が表れるようにした。この窓ａの中央部の上方部には、小さな上向きに尖った△形の表示ｂを設けて鼻とした。この鼻を表した△形の表示ｂの少し上方部で、後端縁部１２０ｂにかけて二重丸の下向き半円弧表示ｃ、ｃを左右に表示した。
【００４０】
中間片１３０は前記した中間片３０と同構造である。幅方向の中央部に、前後方向に長いガイド孔１３５を備える。中間片１３０の表面１３０ａのガイド孔１３５の上方部に、上下に離間し、上下方向に湾曲した湾曲表示ｄ，ｅを表示した。そしてその上方部に、半円弧表示ｃ、ｃと対をなす二重丸の上向き半円弧表示ｆ、ｆを左右に表示した。
さらに、中間片１３０の上方部位で、中間片１３０の後端縁部１３０ｂに近い部分には、左右に離間して直線状の短い眉状の横線表示ｇ、ｇを表示した。
【００４１】
図９（ａ）は紙ばさみ１０１による紙束のクランプ時における銜え量が十分である場合の上側挟持片１２０、中間片１３０の対応関係を示している。
中間片１３０は前記したように後退限に位置しており、上側挟持片１２０と中間片１３０の表示の関係は図９の（ｂ）の通りである。
即ち、横長の窓ａ内には、上向き湾曲の笑った状態となる上向き湾曲表示ｄが位置している。また、上側挟持片１２０の二重丸の上向き半円弧表示ｃ、ｃの真上に中間片１３０の二重丸の下向き半円弧表示ｆ、ｆが表れ、見開いた目が表されることとなる。そしてその上に眉状の横線表示ｇ、ｇが表れ、紙束の銜え量が好ましい中間片１３０の後退限で笑った顔が表示されることとなる。これにより、紙束クリップ時の銜え量が好ましいことが判別することとなる。
【００４２】
一方、紙束の銜え量が不十分の場合、つまりは、前記した図７のｄのような状態で紙束をクリップした場合は、中間片１３０の後退長さが不足する。
本実施例では、中間片１３０と上側挟持片１２０との位置関係で、例えば、窓ａ内には下向き湾曲表示ｅが表れ「へ」の字状の口が表される。中間片１３０の下向き半円弧表示ｆ、ｆは隠れ、上側挟持片１２０の上向き半円弧表示ｃ、ｃのみが表示されており、この上に中間片１３０の眉状の横線表示ｇ、ｇが表れ、目を潜めている状態が表されることとなる。
従って、紙ばさみ１０１による紙束のクリップが不十分であることが分明する。
【００４３】
以上、図１〜図７の実施例及び表示を変えた図８、図９の実施例について説明した。上記した文字、図形若しくは記号等の表示は任意であり、幼児や子供が好むキャラクター等でも良く、キャラクター等では、上側挟持片と中間片で表示を分割して表示し、図７の（ｂ）、図９の（ａ）のような状態で中間片と上側挟持片間に完成したキャラクターが現出すれば良い。
【００４４】
なお、上記では、幼児や子供に好適な紙ばさみとして説明したが、上側挟持片の上部表面から中間片にかけて、例えば「重要」「至急」といった仕事時や学習時の分類に利用される表示を記入し、紙束の銜え量が十分な場合は、前記表示を視認できるが、紙束の銜え量が不十分の場合は、前記表示が視認できない仕様とすることで、社会人や学生といった大人による利用にも好適な紙ばさみとすることも可能である。
【産業上の利用可能性】
【００４５】
本考案に係る紙ばさみは、幼児や子供が使用する紙ばさみに利用することができる。
【符号の説明】
【００４６】
１，１０１…紙ばさみ、１０…下挟持片、１６…ガイド部であるガイド孔、１７…ガイドストッパー、２０，１２０…上挟持片、２５…支軸、２６…ばね、３０，１３０…中間片、３４…脚片、３５…ガイド孔、Ａ，Ｂ，ａ〜ｇ…表示である文字、図形若しくは記号。
【図１】
0003205925.tif 000003
【図２】
0003205925.tif 000004
【図３】
0003205925.tif 000005
【図４】
0003205925.tif 000006
【図５】
0003205925.tif 000007
【図６】
0003205925.tif 000008
【図７】
0003205925.tif 000009
【図８】
0003205925.tif 000010
【図９】
0003205925.tif 000011